(57)【要約】【課題】この発明は天板の高さ調節を確実に行なうことができるようにしたベッド用テーブル装置を提供することにある。【解決手段】天板４７の両端部の下面に上端が取付けられた一対の可動脚部材１６と、各可動脚部材を上下方向にスライド可能に支持した一対の固定脚部材１１と、両端部が一対の可動脚部材の上端部に回転可能に支持されその両端部にそれぞれ上部スプロケット３９が設けられた連動軸３８と、各可動脚部材の下端部にそれぞれ回転可能に設けられた下部スプロケット４１と、下部スプロケットと上部スプロケットとにそれぞれ中途部を係合させ一端と他端とが固定脚部材に連結され一方の可動脚部材を上下動させたときにその上下動を連動軸の回転に変換して他方の可動脚部材に伝達する一対のチェーン４３と、一方の可動脚部材を上昇方向に付勢したガススプリング２６とを具備する。【選択図】    図４
2004275509.tif 000002
【特許請求の範囲】
【請求項１】
天板と、
この天板の両端部の下面に上端が取付けられた一対の可動脚部材と、
各可動脚部材を上下方向にスライド可能に支持した一対の固定脚部材と、
上記天板の下面側に天板の長手方向に沿って設けられ両端部が一対の可動脚部材の上端部に回転可能に支持されるとともにその両端部にそれぞれ上部スプロケットが設けられた連動軸と、
各可動脚部材の上記上部スプロケットよりも下方の箇所にそれぞれ回転可能に設けられた下部スプロケットと、
各一対の下部スプロケットと上部スプロケットとにそれぞれ中途部を係合させて設けられるとともに一端と他端とが上記固定脚部材に連結され一方の可動脚部材を上下動させたときにその上下動を上記連動軸の回転に変換して他方の可動脚部材に伝達する一対のチェーンと、
シリンダ及びこのシリンダから突出する方向に付勢されたロッドを有し、一方の固定脚部材に上記シリンダを連結し上記ロッドの先端を一方の可動脚部材の上端部に連結して設けられ上記ロッドによって一方の可動脚部材を上昇方向に付勢するガススプリングと
を具備したことを特徴とするベッド用テーブル装置。
【請求項２】
上記固定脚部材は筒状で、上記可動脚部材は上記固定脚部材に移動可能に外嵌された筒状であって、
上端部が上記連動軸によって連結された上記一対の可動脚部材、一方の可動脚部材にロッドの先端が連結された上記ガススプリング、上記上部スプロケットと上記下部スプロケットとに中途部が係合されるとともに上記可動脚部材を上記固定脚部材に外嵌したのち上記固定脚部材に固定される部材に一端と他端とが連結された上記一対のチェーンとがユニット化されていることを特徴とする請求項１記載のベッド用テーブル装置。
【請求項３】
上記ガススプリングを作動させる操作レバーが上記可動脚部材の上部で、上記天板の長手方向一端部の下面側に設けられていることを特徴とする請求項１記載のベッド用テーブル装置。
【請求項４】
ベッドの幅寸法よりも長尺な長さ寸法に形成された天板と、この天板の長手方向両端部であって、長手方向と交差する前後方向の一端部下面に上端が取付けられた脚体と
を具備したことを特徴とするベッド用テーブル装置。
【発明の詳細な説明】
【０００１】
【発明の属する技術分野】
この発明は天板がベッドの上方の幅方向に沿って設けられるベッド用テーブル装置に関する。
【０００２】
【従来の技術】
ベッド上で利用者が上半身を起こした状態で食事をしたり、読書をすることができるようにするために、ベッドの幅寸法よりも長い長さ寸法の天板の両端部下面に脚体の上端を固定し、この脚体の下端にキャスタを取付けて移動可能としたベッド用テーブル装置が知られている。
【０００３】
このようなテーブル装置は、使用時には天板をベッドの上方に位置させ、不使用時にはベッド上から除去することができるため、非常に便利であるという利点を有する。
【０００４】
一方、上記天板の高さは、利用者が上記天板を利用する目的や利用者の体格などによって調整できるようにした方が便利である。そこで、上記天板を支持した脚体を、固定脚部材と、この固定脚部材に対してスライド可能に設けられた可動脚部材とから構成し、一対の可動脚部材の上端を上記天板の長手方向両端部の下面に取付け固定する。それによって、可動脚部材を上下方向にスライドさせることで、天板の高さを調整できるようにしている。
【０００５】
さらに、上記天板を上昇させる際、その操作を軽い力で容易に行なえるようにするため、一方の脚体内にガススプリングを収容し、このガススプリングのロッドによって一方の可動脚部材を上昇方向に付勢する。それによって、ガススプリングを作動させれば、そのロッドの付勢力によって上記天板を軽い力で容易に上昇させることが可能となり、下降時にはガススプリングの付勢力によって急激に下降するのが防止される。
【０００６】
通常、上記天板はベッドの幅寸法よりも長い長さ寸法を有するため、一方の可動脚部材だけをガススプリングで上昇方向に付勢したのでは、天板を上昇させるときに、他方の可動脚部材が固定脚部材に対して円滑にスライドしないということがある。
【０００７】
そこで、特許文献１に示されるように、天板（テーブル板）の長手方向の一端部に連結され固定脚部材（脚柱）に上下動可能に支持された一方の可動脚部材（支柱）の上昇に、他端部に連結された他方の可動脚部材を複数の案内車によってガイドされたワイヤで連結し、上記一方の可動脚部材の上下動に上記ワイヤを介して他方の可動脚部材を連動させるようにしたオーバベッドテーブルが提案されている。
【０００８】
このような構成によれば、天板の長手方向一端部を上下動させることで、他端部も上下動するから、天板が長尺であっても、この天板の上下動を円滑に行なうことができるというものである。
【０００９】
【特許文献１】
実公昭６０−２８２４８号公報
【００１０】
【発明が解決しようとする課題】
ところで、ガススプリングによって駆動される一方の可動脚部材の上下動に、他方の可動脚部材を案内車及びワイヤによって連動させる構成であると、上記ワイヤの撓みや伸び、ワイヤと案内車との間に発生するスリップなどによって一方の可動脚部材の上下動に他方の可動脚部材が確実に連動しないことがあったり、連動したとしても、天板の長手方向の端部に加わる荷重によって上記ワイヤが伸びることがある。
【００１１】
そのため、上記天板を水平な状態で確実に上昇させたり、上昇させた天板を確実に水平な状態で維持することができないなどのことがある。
【００１２】
通常、上記可動脚部材の上端は、上記天板の長手方向と交差する前後方向の中央部分の下面に取付けられているから、天板の前端と可動脚部材の前端側の側面との距離が小さいということがある。
【００１３】
そのため、利用者がベッド上で上半身を起こし、天板を身体の近くに寄せて利用している状態で、ベッドから降りるために下半身をベッドの幅方向側方に振ると、可動脚部材の前端側の側面が利用者に身体の近くにあるため、その可動脚部材に身体がぶつかり易いということがある。
【００１４】
この発明は、天板の長手方向の一端部をガススプリングの付勢力によって上昇させたときに、他端部が確実に連動するとともに、その他端部に荷重が加わっても天板の水平状態が損なわれることがないベッド用テーブル装置を提供することにある。
【００１５】
この発明は、ベッド上で上半身を起こした利用者が天板を身体の近くに寄せて利用している場合であっても、利用者がベッド上から比較的容易に下りることができるようにしたベッド用テーブル装置を提供することにある。
【００１６】
【課題を解決するための手段】
この発明は、天板と、
この天板の両端部の下面に上端が取付けられた一対の可動脚部材と、
各可動脚部材を上下方向にスライド可能に支持した一対の固定脚部材と、
上記天板の下面側に天板の長手方向に沿って設けられ両端部が一対の可動脚部材の上端部に回転可能に支持されるとともにその両端部にそれぞれ上部スプロケットが設けられた連動軸と、
各可動脚部材の上記上部スプロケットよりも下方の箇所にそれぞれ回転可能に設けられた下部スプロケットと、
各一対の下部スプロケットと上部スプロケットとにそれぞれ中途部を係合させて設けられるとともに一端と他端とが上記固定脚部材に連結され一方の可動脚部材を上下動させたときにその上下動を上記連動軸の回転に変換して他方の可動脚部材に伝達する一対のチェーンと、
シリンダ及びこのシリンダから突出する方向に付勢されたロッドを有し、一方の固定脚部材に上記シリンダを連結し上記ロッドの先端を一方の可動脚部材の上端部に連結して設けられ上記ロッドによって一方の可動脚部材を上昇方向に付勢するガススプリングと
を具備したことを特徴とするベッド用テーブル装置。
【００１７】
上記固定脚部材は筒状で、上記可動脚部材は上記固定脚部材に移動可能に外嵌された筒状であって、
上端部が上記連動軸によって連結された上記一対の可動脚部材、一方の可動脚部材にロッドの先端が連結された上記ガススプリング、上記上部スプロケットと上記下部スプロケットとに中途部が係合されるとともに上記可動脚部材を上記固定脚部材に外嵌したのち上記固定脚部材に固定される部材に一端と他端とが連結された上記一対のチェーンとがユニット化されていることが好ましい。
【００１８】
上記ガススプリングを作動させる操作レバーが上記可動脚部材の上部で、上記天板の長手方向一端部の下面側に設けられていることが好ましい。
【００１９】
この発明は、ベッドの幅寸法よりも長尺な長さ寸法に形成された天板と、
この天板の長手方向両端部であって、長手方向と交差する前後方向の一端部下面に上端が取付けられた脚体と
を具備したことを特徴とするベッド用テーブル装置にある。
【００２０】
この発明によれば、ガススプリングによって天板の長手方向一端部を上昇させたときに、その一端部の上昇は、一対の上下スプロケット、各上下スプロケットに係合して設けられたチェーン及び一方のチェーンの動きを他方のチェーンに連動する連動軸によって天板の他端部に伝達される。そのため、天板の他端部を確実に上昇させることができ、しかも天板の端部に荷重が加わってもチェーンがスプロケットに係合しているため、これらの間にスリップなどが発生して天板が傾くのが防止される。
【００２１】
この発明は、脚体が天板の前後方向の中心部分からずれた位置に連結されているため、利用者がベッド上から降りるときに脚体が邪魔になり難い。
【００２２】
【発明の実施の形態】
以下、図面を参照しながらこの発明の一実施の形態を説明する。
【００２３】
図１はベッドＡの所定の位置に、この発明のテーブル装置Ｂを設置した状態を示す。このベッドＡは四隅部にキャスタ２が設けられたベース１を有し、このベース１にはベッドフレーム３が図示しない上下駆動機構によって上下駆動可能に設けられている。ベッドフレーム３の長手方向一端にはヘッドボード３ａが設けられ、他端にはフットボード３ｂが設けられている。
【００２４】
上記ベッドフレーム３には上面にマットレス４が載置された床板体５が設けられている。この床板体５は複数、この実施の形態では４つの床部５ａに分割され、そのうちの１つが上記ベッドフレーム３に固定されている。他の床部５ａは、上記ベッドフレーム３に設けられた背上げ機構６によって起伏駆動されるようになっている。
【００２５】
上記テーブル装置Ｂは、図２（ａ），（ｂ）乃至図４に示すように一対の脚体１０を備えている。各脚体１０は固定脚部材１１を有する。各固定脚部材１１は角筒状をなしていて、下端には矩形状の下部取付け板１２が固着されている。この下部取付け板１２は、図２（ｂ）に示すように長手方向の両端にキャスタ１３が設けられた台座部材１４の一端部の上面に取付け固定されている。
【００２６】
一対の固定脚部材１１には、可動脚部材１６が移動可能に外嵌されている。この可動脚部材１６は、図８（ｃ）に示すように対向する一対の内側面が開放した断面形状がチャンネル状をなしていて、内径寸法が上記固定脚部材１１の外形寸法よりも大きく設定されている。
【００２７】
図４に示すように可動脚部材１６の下端には、合成樹脂によって角筒状に形成された下部ガイド部材１７が設けられている。上記固定脚部材１１の上端部には、合成樹脂によって角筒状に形成された上部ガイド部材１８が設けられている。
【００２８】
上記下部ガイド部材１７は内周面が上記固定脚部材１１の外周面に摺接するようになっており、上記上部ガイド部材１８は外周面が上記可動脚部材１６の内周面に摺接するようになっている。それによって、上記可動脚部材１６は固定脚部材１１に対して横方向に振れることなく上下動可能となっている。
【００２９】
図８（ａ），（ｂ）に示すように、一対の可動脚部材１６の上端部の対向する側面には、上記ベッドＡの幅寸法よりも長尺な連結部材２１の両端が連結固定されている。この連結部材２１は下面が開放した断面形状がチャンネル状をなしている。
【００３０】
図４及び図７（ａ），（ｂ）に示すように、一対の可動脚部材１６の上端部内には側面形状がＵ字状をなした保持部材２２が嵌合され、ねじ２３によって上記可動脚部材１６に取付け固定されている。上記保持部材２２の下面の長手方向一端部、つまり一対の脚体１０の離間方向と交差する方向に沿う一端部には断面形状がコ字状をなしたカバー部材２４の上端が開放端を保持部材２２の長手方向他端に向けて固着されている。このカバー部材２４は上記固定脚部材１１内に挿入され、下端開口はエンドカバー２５によって閉塞されている。
【００３１】
一方の脚体１０の保持部材２２の下面の長手方向他端部にはガススプリング２６のシリンダ２７から突出したロッド２８の先端がナット２９によって連結固定されている。ロッド２８はシリンダ２７内のガス圧によって突出方向に付勢されている。
【００３２】
上記ロッド２８の先端面からは作動子３０が突出している。この作動子３０を押圧することで、上記ロッド２８をシリンダ２７から突出させることができる。上記作動子３０は、図２（ａ）に示すように一方の脚体１０の可動脚部材１６の上端部に回転可能に設けられた操作レバー３１を矢印方向に回転させることで、押圧されるようになっている。
【００３３】
図４に示すように、上記ガススプリング２６は円筒状の収容筒３３に収容されている。この収容筒３３は、上記ガススプリング２６のシリンダ２７下端部に設けられた嵌合部材３４によってガススプリング２６を一体的に保持しているとともに、ガススプリング２６と一緒に固定脚部材１１内に挿入された後、連結ねじ３５が固定脚部材１１を介して収容筒３３の下端部に設けられたナット３６に螺合されることで、この固定脚部材１１に一体的に連結固定される。
【００３４】
なお、他方の脚体１０にはガススプリング２６は収容されないが、収容筒３３は一方の脚体１０と同様、固定脚部材１１内に挿入された後、この固定脚部材１１に連結ねじ３５で連結固定される。
【００３５】
図５に示すように、一対の脚体１０の可動脚部材１６の上端部の側面に両端を連結した保持部材２２内には、連動軸３８の細径部３８ａに形成された両端部が挿入されている。この連動軸３８の両端部の細径部３８ａにはそれぞれ上部スプロケット３９が嵌合固定されている。
【００３６】
上記保持部材２２には合成樹脂製の上部ハウジング３７ａと下部ハウジング３７ｂとによって軸受４０が保持されている。この軸受４０には上記連動軸３８の上部スプロケット３９が設けられた細径部３８ａが回転可能に支持されている。
【００３７】
図４に示すように、上記カバー部材２４の下端部内には下部スプロケット４１が支軸４２によって回転可能に支持されている。各脚体１０の下部スプロケット４１と上記上部スプロケット３９にはチェーン４３が中途部を係合させて設けられている。このチェーン４３の一端と他端とは上記収容筒３３に固着された舌片４４に連結されている。この舌片４４は、この発明の請求項２に記載された固定脚部材１１に固定される部材となっている。なお、上記保持部材２２にはチェーン４３を通すための通孔２２ａが形成されている。
【００３８】
一対の脚体１０の可動脚部材１６の上端に嵌合固定された保持部材２２の開放した上端面には矩形板状の上部取付け部材４６が固着されている。一対の上部取付け部材４６の可動脚部材１６の両側面から突出した両端部は、上記ベッドＡの幅寸法よりも長さ寸法が長く形成された天板４７の長手方向両端部の下面で、しかも図１に示すように天板４７の長手方向と交差する前後方向の中心部Ｃよりも後端側に寸法ｅだけ偏った位置である、一端部寄りに取付け固定されている。
【００３９】
上記天板４７は、可動脚部材１６が図１に示すように下降した状態において、下面が上記ヘッドボード３ｂの上端よりもわずかに高い位置にあり、その位置から図２（ａ）に鎖線で示すように上昇させることができるようになっている。
【００４０】
なお、上記可動脚部材１６の開放した側面と、上記連結部材２１の開放した下面とは、図２（ａ）に示すように合成樹脂製のカバー４８，４９によって閉塞される。
【００４１】
上記構成のテーブル装置Ｂによれば、天板４７を図２（ａ）に実線で示す位置から鎖線で示す位置に上昇させる場合には、天板４７の長手方向一端部の下面で、一方の脚体１０の可動脚部材１６の上端部に設けられた操作レバー３１を矢印方向に回転させる。
【００４２】
操作レバー３１を回転させると、一方の脚体１０に設けられたガススプリング２６の作動子３０が押圧される。それによって、ガススプリング２６のロッド２８がシリンダ２７から突出するから、このロッド２８の動きに、ロッド２８が連結された保持部材２を介して可動脚部材１６が連動して上昇する。
【００４３】
操作レバー３１は天板４７の一端部下面に設けられているから、操作者は天板４７に手を掛けて上記操作レバー３１を操作することができるから、その手で天板４７の高さを調整し、所定の位置になったならば、操作レバー３１から手を放せばよい。
【００４４】
図３（ａ）に示す状態から図３（ｂ）に示すように可動脚部材１６が上昇すると、固定脚部材１１に収容筒３３を介して固定された舌片４４に両端が連結されたチェーン４３が図３（ｂ）に矢印で示す方向に無端走行するから、その走行によって一方の脚体１０の上部スプロケット３９と下部スプロケット４１が同方向に回転する。
【００４５】
一方の脚体１０の上部スプロケット３９が回転すると、その回転が連動軸３８を介して他方の脚体１０の上部スプロケット３９に伝達される。上部スプロケット３９が回転すれば、この上部スプロケット３９と下部スプロケット４１とに係合されたチェーン４３が無端走行するから、このチェーン４３の両端が連結された舌片４４を介して他方の脚体１０の可動脚部材１６が上昇する。
【００４６】
一方の脚体１０と他方の脚体１０との上部スプロケット３９は連動軸３８によって同期して同じ角度で回転するから、各脚体１０のチェーン４３の走行距離も等しくなる。したがって、一対の脚体１０の可動脚部材１６は同じ距離で上昇するから、これら可動脚部材１６の上端に連結された天板４７を水平に上昇させることができる。
【００４７】
各一対の上下スプロケット３９，４１とチェーン４３との間にはスリップが発生することがない。しかも、チェーン４３はワイヤに比べて伸びが小さい。そのため、それらのことによっても、一方の可動脚部材１６の上昇に他方の脚部材１６を確実に連動させることができるばかりか、上昇した天板４７に荷重を加えても、この天板４７が上下方向にがたつき難いため、天板４７の水平状態を確実に維持することができる。
【００４８】
上昇させた天板４７を下降させる場合には、操作レバー３１を回転させてガススプリング２６の作動子３０を押圧する。その状態で天板４７を下方へ押圧すれば、ロッド２８が付勢力に抗してシリンダ２７に没入する方向に移動するから、天板４７を下降させることができる。
【００４９】
天板４７を下降させるときにも、左右一対の脚体１０のチェーン４３が同期して同じ長さで無端走行するから、操作レバー３１を操作した片方の手で天板４７の一端部だけを下方へ押圧しても、この天板４７を長手方向に傾きが生じることなく水平に下降させることができる。つまり、操作レバー３１を操作する手で天板４７を下方へ押し下げることができるから、天板４７の操作がし易い。
【００５０】
一対の脚体１０の可動脚部材１６は、天板４７の長手方向と交差する前後方向の中心部から後端側にずれた一端部に連結固定されている。そのため、図１にＤで示すように、天板４７の前端と、脚体１０の前端側の側面との間の距離を大きくすることができる。
【００５１】
したがって、マットレス４上で上半身を起こした利用者が下半身をマットレス４の幅方向に振って降りる場合、下半身の、とくに脚が上記脚体１０にぶつかり難くなるため、利用者はマットレス４上から降り易くなる。
【００５２】
上記構成のテーブル装置Ｂは、一対の可動脚部材１６を予め連結した状態でユニット化しておくことができる。つまり、連結部材２１によって上端部側面が連結された一対の可動脚部材１６の上端部内に保持部材２２を取付け、両端部に上部スプロケット３９が設けられた連動軸３８の両端部を一対の保持部材２２に設けられた軸受４０に回転可能に支持する。
【００５３】
さらに、上部スプロケット３９とカバー部材２４の下端部に設けられた下部スプロケット４１とにチェーン４３を係合させ、このチェーン４３の両端を収容筒３３に設けられた舌片４４に連結しておく。一方の脚体１０の収容筒３３にはガススプリング２６が収容されるが、他方の脚体１０の収容筒３３は舌片４４に連結されたチェーン４３及び保持部材２２を介して可動脚部材１６と一体的となっている。
【００５４】
なお、他方の脚体１０に収容筒３３を設けることで、一対の脚体１０の構成部品を、ガススプリング２６を除いて共通化できるから、生産や組立てを効率よく行なうことが可能となる。
【００５５】
このように、一対の可動脚部材１６、連動軸３８、チェーン４３、上下スプロケット３９，４１、連結部材２１、収容筒３３、ガススプリング２６、カバー部材２４、保持部材２２などの部品を予め組立ててユニット化したならば、図８（ｃ）に鎖線で示すように、このユニットの一対の可動脚部材１６を同図に実線で示す一対の固定脚部材１１に移動可能に外嵌する。
【００５６】
ついで、可動脚部材１６の上端の保持部材２２に取付けられた上部取付け部材４６の両端部を、天板４７の長手方向両端部の下面にねじ止め固定すれば、テーブル装置Ｂを組立てることができる。
【００５７】
つまり、固定脚部材１１に対して上下動する可動脚部材１６側の複数の部品を予めユニット化しておくことができるから、組立て作業を容易かつ迅速に行なうことができる。
【００５８】
上記一実施の形態では一対の可動脚部材を連結部材によって連結したが、一対の可動脚部材の上端部は連動軸によっても連結されるため、上記連結部材はなくても差し支えない。
【００５９】
【発明の効果】
以上のようにこの発明によれば、ガススプリングによって天板の長手方向一端部を上昇させたときに、その一端部の上昇を、一対の上下スプロケット、各上下スプロケットに係合して設けられたチェーン及び一方のチェーンの動きを他方のチェーンに連動する連動軸によって天板の他端部に伝達するようにした。
【００６０】
そのため、天板の一端部をガススプリングで押し上げると、その他端部を確実に連動させることができ、しかも天板に荷重が加わっても係合したチェーンとスプロケットとの間にスリップが発生しするのを防止できるから、天板が傾くことがない。
【００６１】
また、この発明は、脚体を天板の長手方向と交差する前後方向の中心部分からずれた位置に連結するようにした。
【００６２】
そのため、天板の前端と脚体の前端側の側面との間の距離を大きくすることができるから、利用者が下半身をベッドの幅方向に振ってベッド上から降りる際、下半身が脚体にぶつかり難くなるため、ベッドから降り易いということがある。
【図面の簡単な説明】
【図１】この発明の一実施の形態を示すテーブル装置が配置されたベッドの正面図。
【図２】（ａ）はテーブル装置の正面図、（ｂ）は側面図。
【図３】（ａ）はガススプリングが設けられた一方の脚体の縦断面図、（ｂ）は可動脚部材を上昇させた脚体の縦断面図。
【図４】ガススプリングが設けられた一方の脚体を拡大した縦断面図。
【図５】脚体の上部の連動軸の支持構造を拡大して示す断面図。
【図６】（ａ）は連動軸の正面図、（ｂ）は側面図。
【図７】（ａ）はチェーンをカバーするカバー部材の正面図、（ｂ）は側面図。
【図８】（ａ）は一対の可動脚部材をユニット化した正面図、（ｂ）は下面側から見た図、（ｃ）は可動脚部材を固定脚部材に外嵌した状態の説明図。
【図９】（ａ）は可動脚部材に収容されたガススプリングとカバー部材とを示す側面図、（ｂ）は固定脚部材の側面図。
【符号の説明】
１０…脚体、１１…固定脚部材、１６…可動脚部材、２６…ガススプリング、２７…シリンダ、２８…ロッド、３１…操作レバー、３８…連動軸、３９…上部スプロケット、４１…下部スプロケット、４３…チェーン、４４…舌片、４７…天板。
【図１】
2004275509.tif 000003
【図２】
2004275509.tif 000004
【図３】
2004275509.tif 000005
【図４】
2004275509.tif 000006
【図５】
2004275509.tif 000007
【図６】
2004275509.tif 000008
【図７】
2004275509.tif 000009
【図８】
2004275509.tif 000010
【図９】
2004275509.tif 000011